(57)【要約】【課題】水張り完了後に続けて発電試験を行う場合は待ち時間を短縮し、続けて発電試験を行わない場合はエネルギーロスを防ぐ燃料電池システムを提供すること。【解決手段】原料燃料ｍ１と水ｗ１とを導入し改質して水素を主成分とする改質ガスｇを生成する、予熱手段２８を有する改質器２０と、酸素を含有する加湿された酸化剤ガスｔと改質ガスｇとを導入し水素と酸素との電気化学的反応により発電し発熱する燃料電池３０と、改質器２０に導入する水ｗ１及び酸化剤ガスを加湿する水ｗ４を保有する水保有手段８３、８４と、水保有手段８３、８４に水ｗ１、ｗ４がない状態から、水保有手段８３、８４に水ｗ１、ｗ４を注入している間に改質器２０の予熱をする制御と、予熱をしない制御とを選択的に行う制御装置９１とを備える燃料電池システム。【選択図】図１
2007335332.tif 000002
【特許請求の範囲】
【請求項１】
原料燃料と水とを導入し加熱することにより前記原料燃料を改質して水素を主成分とする改質ガスを生成する、予熱手段を有する改質器と；
酸素を含有する加湿された酸化剤ガスと前記改質ガスとを導入し、前記改質ガス中の水素と前記酸化剤ガス中の酸素との電気化学的反応により発電し発熱する燃料電池と；
前記改質器に導入する水及び前記酸化剤ガスを加湿する水を保有する水保有手段と；
前記水保有手段に前記水がない状態から、前記水保有手段に前記水を注入している間に前記予熱手段で前記改質器の予熱をする制御と、前記水保有手段に前記水を注入している間に前記改質器の予熱をしない制御とを選択的に行う制御装置とを備える；
燃料電池システム。
【請求項２】
前記改質器に前記水を導く改質水流路と；
前記燃料電池で発生した熱を、水を媒体として蓄える貯湯槽と；
前記燃料電池から前記貯湯槽に前記発生した熱を導く前記媒体としての水を流す蓄熱水流路とを備え；
前記水保有手段が、前記改質水流路、前記貯湯槽及び前記蓄熱水流路を含んで構成された；
請求項１に記載の燃料電池システム。
【請求項３】
前記予熱手段が電気ヒータで構成された；
請求項１又は請求項２に記載の燃料電池システム。
【請求項４】
前記予熱手段が、燃焼用の空気を供給する燃焼空気供給管と、燃料を燃焼させるバーナーとを含んで構成された；
請求項１乃至請求項３のいずれか１項に記載の燃料電池システム。
【請求項５】
前記燃料電池が固体高分子型燃料電池である；
請求項１乃至請求項４のいずれか１項に記載の燃料電池システム。
【発明の詳細な説明】
【技術分野】
【０００１】
本発明は燃料電池システムに関し、特に設置後発電試験の開始までに適切な準備をすることができる燃料電池システムに関するものである。
【背景技術】
【０００２】
水素と酸素とを使用して、これらの電気化学的反応により発電する燃料電池は、環境に優しい発電装置として注目されている。燃料電池は発電の際に発熱を伴う。また、燃料電池に供給する水素は、水素自体を供給するインフラが普及していないことから、都市ガスや灯油等の原料燃料を改質して得られる改質ガスに含まれる水素が用いられることが多い。このような事情により、燃料電池は、原料燃料を改質して改質ガスを生成する改質器と、発電に伴って発生した熱を蓄える貯湯槽と共に燃料電池システムを構築して利用されるのが一般的であり、燃料電池システムは改質器における原料燃料の改質に必要な水、蓄熱槽への蓄熱媒体として用いる水等の水を使用する（例えば、特許文献１参照。）。
【０００３】
上述のように、燃料電池システムは各所で水を使用するが、燃料電池システムの使用場所では、燃料電池システムを搬入し据え付け（必要な場合は組み立ても含む）た後に、貯湯槽や水の流路となる配管に水を充填する水張りを行う。そして、水張りが完了した後に、設置した燃料電池システムの作動状況を確認する発電試験を行う。燃料電池システムの稼働前に水張りを行うことで、水を使用する部材に必要なときに遅滞なく水を供給することが可能となる。他方、改質器で改質ガスを生成するためには改質器を改質に適した温度に昇温する必要があり、常温（周囲環境温度）から改質に適した温度に昇温するまでには相当の時間（例えば１時間程度）を必要とする。
【特許文献１】特開２００５−２７６７５７号公報（図１等）
【発明の開示】
【発明が解決しようとする課題】
【０００４】
上述のような事情から、水張り完了後に改質器の昇温を開始すると、水張り完了後から発電試験を開始するまでに相当の時間を要することとなる。他方、水張りの開始と同時に改質器の昇温を開始すると、発電試験に至らなかった場合に改質器の昇温に要したエネルギーが無駄になる。
【０００５】
本発明は上述の課題に鑑み、水張り完了後に続けて発電試験を行う場合は待ち時間を短縮し、続けて発電試験を行わない場合はエネルギーロスを防ぐ燃料電池システムを提供することを目的とする。
【課題を解決するための手段】
【０００６】
上記目的を達成するために、請求項１に記載の発明に係る燃料電池システムは、例えば図１に示すように、原料燃料ｍ１と水ｗ１とを導入し加熱することにより原料燃料ｍ１を改質して水素を主成分とする改質ガスｇを生成する、予熱手段２８を有する改質器２０と；酸素を含有する加湿された酸化剤ガスｔと改質ガスｇとを導入し、改質ガスｇ中の水素と酸化剤ガスｔ中の酸素との電気化学的反応により発電し発熱する燃料電池３０と；改質器２０に導入する水ｗ１及び酸化剤ガスを加湿する水ｗ４を保有する水保有手段８３、８４と；水保有手段８３、８４に水ｗ１、ｗ４がない状態から、水保有手段８３、８４に水ｗ１、ｗ４を注入している間に予熱手段２８で改質器２０の予熱をする制御と、水保有手段８３、８４に水ｗ１、ｗ４を注入している間に改質器２０の予熱をしない制御とを選択的に行う制御装置９１とを備える。
【０００７】
このように構成すると、水保有手段に水がない状態から水保有手段に水を注入している間に改質器の予熱をする制御と予熱をしない制御とを選択的に行うので、水保有手段への水の注入完了後に発電試験を行う場合は待ち時間を短縮することができ、水の注入完了後に発電試験を行わない場合は不要な予熱を行わないので無駄なエネルギーを消費しなくて済む。
【０００８】
また、例えば図１に示すように、請求項１に記載の燃料電池システム１０において、制御装置９１に予熱を行うか否かの指令を与える指令入力手段９２を備えていてもよい。
【０００９】
このように構成すると、指令入力手段に入力する者が、水保有手段に水を注入している間に改質器の予熱をする制御と予熱をしない制御とのいずれを行うかを決定することが可能となる。
【００１０】
また、例えば図１を参照して示すと、前２段落に記載の燃料電池システム１０において、制御装置９１が、時計を有すると共に水保有手段８３、８４に水ｗ１、ｗ４を注入後初めて燃料電池３０を作動する際に燃料電池３０の作動が許可される初動可能時刻が予め設定されており、水保有手段８３、８４に水ｗ１、ｗ４を注入している間に予熱手段２８で改質器２０の予熱をする制御が選択された時刻から見て燃料電池３０の作動する時刻が前記初動可能時刻外になると予想されるときに、再考促進信号を発信するように構成されていてもよい。ここで「再考促進信号」は、例えば制御を選択した者に再考を促す信号であって、典型的には、該制御を選択することができない旨の信号、あるいは燃料電池の作動が初動可能時刻外となる旨の警報を発報する信号である。
【００１１】
このように構成すると、初動可能時刻内に発電試験を行うことができないにもかかわらず水保有手段に水を注入している間に予熱手段で改質器の予熱をする制御が誤って選択されること、を防ぐことができる。
【００１２】
また、請求項２に記載の発明に係る燃料電池システムは、例えば図１に示すように、請求項１に記載の燃料電池システム１０において、改質器２０に水ｗ１を導く改質水流路８３と；燃料電池３０で発生した熱を、水ｗ２、ｗ３を媒体として蓄える貯湯槽８１と；燃料電池３０から貯湯槽８１に発生した熱を導く媒体としての水ｗ２、ｗ３を流す蓄熱水流路８５、８６とを備え；水保有手段が、改質水流路８３、貯湯槽８１及び蓄熱水流路８５、８６を含んで構成されている。
【００１３】
このように構成すると、燃料電池で発生した熱を蓄える貯湯槽を備えるので、燃料電池で発生した熱を任意の時間に利用することができ、燃料電池における発電に伴って発生する熱を有効に利用することができる。
【００１４】
また、請求項３に記載の発明に係る燃料電池システムは、例えば図１に示すように、請求項１又は請求項２に記載の燃料電池システム１０において、予熱手段が電気ヒータ２８で構成されている。
【００１５】
このように構成すると、予熱の制御が容易になる。
【００１６】
また、請求項４に記載の発明に係る燃料電池システムは、例えば図１に示すように、請求項１乃至請求項３のいずれか１項に記載の燃料電池システム１０において、予熱手段が、燃焼用の空気ａを供給する燃焼空気供給管２１と、燃料ｍ２を燃焼させるバーナー２２とを含んで構成されている。
【００１７】
このように構成すると、予熱のために電気よりも安価な燃料を用いることが可能となり、ランニングコストを低減することができる。また、改質器における原料燃料の改質に必要な改質熱の生成をバーナーによる燃焼で行う場合はバーナーを兼用することができ、装置構成を簡略化することができる。
【００１８】
また、請求項５に記載の発明に係る燃料電池システムは、請求項１乃至請求項４のいずれか１項に記載の燃料電池システムにおいて、燃料電池３０（例えば図１参照）が固体高分子型燃料電池である。
【００１９】
このように構成すると、比較的低い温度で燃料電池を作動させることができる。
【発明の効果】
【００２０】
本発明に係る燃料電池システムによれば、水保有手段に水がない状態から水保有手段に水を注入している間に改質器の予熱をする制御と予熱をしない制御とを選択的に行う制御装置を備えるので、水保有手段への水の注入完了後に発電試験を行う場合は待ち時間を短縮することができ、水の注入完了後に発電試験を行わない場合は不要な予熱を行わないので無駄なエネルギーを消費しなくて済む。
【発明を実施するための最良の形態】
【００２１】
以下、図面を参照して、本発明の実施の形態について説明する。なお、各図において、互いに同一又は相当する部材には同一あるいは類似の符号を付し、重複した説明は省略する。
【００２２】
まず図１を参照して、本発明の実施の形態に係る燃料電池システム１０を説明する。図１は、燃料電池システム１０を説明する系統図である。燃料電池システム１０は、水素を主成分とする改質ガスｇを生成する改質器２０と、水素と酸素との電気化学的反応により発電する燃料電池３０と、燃料電池３０に供給する酸化剤ガスｔを加湿する加湿器３８と、燃料電池３０での発電に伴って発生する熱を蓄える貯湯槽８１と、燃料電池システム１０で使用される水の一部を蓄える水タンク８２と、燃料電池システム１０を制御する制御装置９１と、制御装置９１に指令を与える指令入力手段９２とを備えている。
【００２３】
改質器２０は、原料燃料ｍ１と水としての改質水ｗ１とを導入し水蒸気改質反応により、水素を主成分とする、水素に富む改質ガスｇを生成する改質部２５と、原料燃料ｍ１の水蒸気改質反応に必要な改質熱を発生する燃焼部２３とを備えている。原料燃料ｍ１は、典型的には、メタン、エタン等の鎖式炭化水素（天然ガスも含む）、あるいはメタノール、石油製品（灯油、ガソリン、ナフサ、ＬＰＧ等）等の炭化水素を主成分とする混合物等の炭化水素系の燃料であり、加熱用の燃焼に適するものが用いられる。また、水素に富む改質ガスｇとは、水素を４０体積％以上、典型的には７０〜８０体積％程度含んだ、後述する燃料電池３０に供給するガスである。改質ガスｇ中の水素濃度は８０体積％以上でもよく、すなわち燃料電池３０に供給したときに酸化剤ガスｔ中の酸素との電気化学的反応により発電可能な濃度であればよい。
【００２４】
改質部２５には、改質触媒が充填されており、水蒸気改質反応を促進させるように構成されている。改質触媒としては、典型的には、ニッケル系改質触媒やルテニウム系改質触媒が用いられる。改質触媒の作用により原料燃料ｍ１が改質されて生成された水素に富むガスに所定量以上の一酸化炭素が含まれていると、燃料電池３０の電極触媒が被毒する。そのため、改質部２５は、変成触媒が充填された変成部（不図示）、及び選択酸化触媒が充填された一酸化炭素低減部（不図示）を有し、改質器２０から導出される改質ガスｇ中の一酸化炭素濃度が約１０体積ｐｐｍ以下、好適には１体積ｐｐｍ程度となるようにするのが好ましい。変成触媒には、典型的には、鉄−クロム系変成触媒、銅−亜鉛系変成触媒、白金系変成触媒等が用いられる。選択酸化触媒には、典型的には、白金系選択酸化触媒、ルテニウム系選択酸化触媒、白金−ルテニウム系選択酸化触媒等が用いられる。なお、改質触媒における反応は吸熱反応であるが、変成触媒を有する変成部及び選択酸化触媒を有する一酸化炭素低減部における反応は発熱反応となる。改質部２５には、原料燃料ｍ１を導入するための改質燃料管４４と、改質水ｗ１を導入するための改質水流路を形成する改質水管８３が接続されている。改質水管８３は、水保有手段の一部材である。改質水管８３には、改質水ｗ１を改質部２５に圧送する改質水ポンプ６３が配設されている。また、改質器２０の直近上流の改質水管８３には改質水開閉弁７３が配設されている。改質水開閉弁７３は、制御装置９１と信号ケーブルで接続されており、制御装置９１からの開閉信号を受信して弁の開閉が行われるように構成されている。また、改質部２５（改質ガス中の一酸化炭素濃度を低減させる部位を有する場合は当該部位）には改質ガスｇを導出する改質ガス管５１が接続されている。さらに、改質部２５には、温度を検出する温度検出器２６が設けられている。
【００２５】
改質部２５に隣接するように、予熱手段としての電気ヒータ２８が改質器２０内に配設されている。電気ヒータ２８は、改質部２５における改質反応に先立って改質部２５を温め、改質反応時は改質熱の一部を賄うために用いられる。電気ヒータ２８はケーブル（不図示）を介して電源に接続されている。電気ヒータ２８は、制御装置９１により、通電の有無が制御されて発熱の有無が制御される。
【００２６】
燃焼部２３は、改質部２５の改質触媒が設けられている位置に隣接するように、改質器２０内に配設されている。場合によっては、電気ヒータ２８を挟んで改質部２５に隣接配置される。燃焼部２３は、炭化水素系燃料である燃焼用燃料ｍ２、あるいは水素含有ガスである燃料極オフガス（不図示）を導入し、バーナー２２でこれらを燃焼させて改質熱を得ることができるように構成されている。燃焼用燃料ｍ２は、本実施の形態では、原料燃料ｍ１と同じものが使用される。すなわち、原料燃料ｍ１及び燃焼用燃料ｍ２は、燃料管４３を流れる燃料ｍが分流したものを用途に応じて呼称を変えたものであり、成分は同じものである。燃焼部２３には、改質熱を発生するためのバーナー２２と、燃焼空気ａを導入するための燃焼空気供給管２１とが設けられている。また、燃焼部２３には、燃焼用燃料ｍ２を導入する燃焼燃料管４５が接続されており、燃焼空気供給管２１には燃焼空気ａを導入する燃焼空気管４６が接続されている。なお、燃焼空気供給管２１は、典型的には長さを有する管であるが、燃焼空気管４６を接続するタッピング（フランジも含む）のみの場合も燃焼空気供給管２１の概念に含まれることとする。
【００２７】
また、燃焼部２３には、バーナー２２で燃焼した後の排ガスＧｅを排出する排ガス管４７が接続されている。排ガス管４７には、排ガス熱交換器３９が配設されており、燃焼部２３から排出された排ガスＧｅが排ガス熱交換器３９内を通過するように構成されている。排ガス熱交換器３９には、加湿器３８に供給する排熱回収加湿水ｗ４を流す排熱回収加湿管８４がさらに接続されており、排熱回収加湿水ｗ４が排ガス熱交換器３９内を通過するように構成されている。すなわち、排ガス熱交換器３９は、排ガスＧｅと排熱回収加湿水ｗ４との間で熱交換を行わせる機器であり、排ガスＧｅから熱を回収して排熱回収加湿水ｗ４の温度を上昇させることができるように構成されている。排熱回収加湿水ｗ４は酸化剤ガスｔを加湿する水であり、排熱回収加湿管８４は水保有手段の一部材である。排ガス熱交換器３９より上流側の排熱回収加湿管８４には、排熱回収加湿水ｗ４を圧送する排熱回収ポンプ６４が配設されている。排熱回収加湿管８４は、排ガス熱交換器３９より下流側で加湿器３８に接続されている。加湿器３８の直近上流の排熱回収加湿管８４には加湿水開閉弁７４が配設されている。加湿水開閉弁７４は、制御装置９１と信号ケーブルで接続されており、制御装置９１からの開閉信号を受信して弁の開閉が行われるように構成されている。
【００２８】
燃料電池３０は、典型的には固体高分子型燃料電池である。燃料電池３０は、改質ガスｇを導入する燃料極３１と、酸化剤ガスｔを導入する空気極３２と、電気化学的反応により発生した熱を奪う冷却部３３とを含んで構成されている。燃料電池３０は、図では簡易的に示されているが、実際には、固体高分子膜を燃料極と空気極とで挟んで単一のセルが形成され、このセルを冷却部を介し複数枚積層して構成されている。燃料電池３０では、燃料極３１に供給された改質ガスｇ中の水素が水素イオンと電子とに分解し（下記（１）式参照）、水素イオンが固体高分子膜を通過して空気極３２に移動すると共に電子が燃料極３１と空気極３２とを結ぶ導線を通って空気極３２に移動して、空気極３２に供給された酸化剤ガスｔ中の酸素と反応して水を生成し（下記（２）式参照）、この反応の際に発熱する。
Ｈ2  →  ２Ｈ+  ＋  ２ｅ-  ・・・（１）
（１／２）Ｏ2  ＋  ２Ｈ+  ＋  ２ｅ-  →  Ｈ2Ｏ  ・・・（２）
上記の反応における、電子が導線を通ることにより、直流の電力を取り出すことができる。燃料電池３０には、必要に応じて、直流電力を交流電力に変換するパワーコンディショナー（不図示）が接続される。燃料電池３０で発電された電力は、電力需要に向けて送電される。なお、空気極３２に供給される酸化剤ガスｔは、固体高分子膜（プロトン交換膜）の導電率を高く維持するために加湿器３８で加湿されている。
【００２９】
燃料極３１と改質部２５とは、改質ガス管５１を介して接続されている。空気極３２には、酸化剤ガスｔを導入する酸化剤ガス管５４が接続されている。酸化剤ガス管５４には酸化剤ガスｔを加湿する加湿器３８と、加湿された酸化剤ガスｔを空気極３２に圧送する酸化剤ガスブロワ６８とが配設されている。加湿器３８は、排ガスＧｅから熱回収して温度が上昇した排熱回収加湿水ｗ４と酸化剤ガスｔとを導入し、排熱回収加湿水ｗ４を酸化剤ガスｔに散布して酸化剤ガスｔを加湿する。このとき、酸化剤ガスｔの温度は上昇する。このように排熱回収加湿水ｗ４で酸化剤ガスｔを加湿すると、酸化剤ガスｔの温度を燃料電池３０の作動温度（典型的には６０〜１００℃程度）に近づけることができると共に、本来棄てられる排熱を有効利用することができ好適である。なお、加湿器３８は、排熱回収加湿水ｗ４と酸化剤ガスｔとを対向流で接触させて加湿するものに限らず、中空糸膜加湿器やその他の構成の加湿器を用いてもよい。
【００３０】
燃料電池３０の冷却部３３には、水（熱媒体）としての冷却水ｗ２を流す冷却水管８５が接続されている。冷却水管８５は水保有手段の一部材である。冷却水管８５が冷却部３３の冷却水入口３３ａ及び冷却水出口３３ｂに接続されることにより、冷却水ｗ２を循環させる循環流路が形成されている。冷却水出口３３ｂより下流の冷却水管８５には冷却水ｗ２を循環させる冷却水ポンプ６５が配設されており、冷却水ポンプ６５より下流の冷却水管８５には温熱回収熱交換器３６が配設されている。冷却水ポンプ６５が起動することにより冷却水ｗ２が冷却水管８５及び冷却部３３を循環する。さらに、冷却水管８５は、温熱回収熱交換器３６の下流で分岐して、排熱回収ポンプ６４と排ガス熱交換器３９との間の排熱回収加湿管８４に接続されており、これにより、冷却水管８５と冷却部３３とで形成される循環流路に水張り時に冷却水ｗ２を導入することができるように構成されている。循環流路を構成する冷却水管８５には、エア抜き弁（不図示）が配設されている。
【００３１】
冷却水ｗ２と、排熱回収加湿水ｗ４と、改質水ｗ１とは、水タンク８２に貯留されている。水タンク８２は、水保有手段の一部材である。改質水ｗ１、冷却水ｗ２、排熱回収加湿水ｗ４は、元は水質が異なるものではなく、同じ水を用途によって呼称を変えたものである。水タンク８２には、加湿器３８で散布されて酸化剤ガスｔに乗らなかった排熱回収加湿水ｗ４が流入するように構成されている。水タンク８２には、外部から市水等の源水を導入する水導入管４２が接続されている。水導入管４２には水タンク導入水開閉弁７２が配設されている。水タンク導入水開閉弁７２は制御装置９１と信号ケーブルで接続されており、制御装置９１からの開閉信号を受信して弁の開閉が行われるように構成されている。また、水タンク８２には、水位を検出する水位検出器９５が設けられている。水位検出器９５は電極棒やフロートスイッチ等の水位を検出することができるセンサーであり、制御装置９１と信号ケーブルで接続され、水タンク導入水開閉弁７２を制御する満水、減水信号、及びポンプ６３、６４をインターロックするインターロック信号を送信することができるように構成されている。なお、水タンク８２は、加湿器３８と一体に形成されていてもよい。すなわち、加湿器３８の下部に酸化剤ガスｔに乗らなかった排熱回収加湿水ｗ４を受ける貯水部を形成し、この貯水部に改質水管８３や排熱回収加湿管８４や水導入管４２を接続して、貯留部が水タンク８２を兼ねるようにしてもよい。このようにすると部材数が少なくなり、設置面積を小さくすることができる。
【００３２】
冷却水管８５に配設される温熱回収熱交換器３６は、貯湯槽８１に流入する温熱回収水ｗ３を流す温熱回収管８６がさらに接続されており、温熱回収水ｗ３が温熱回収熱交換器３６内を通過するように構成されている。すなわち、温熱回収熱交換器３６は、冷却水ｗ２と温熱回収水ｗ３との間で熱交換を行わせる機器であり、冷却水ｗ３の温度を低下させ、温熱回収水ｗ３の温度を上昇させることができるように構成されている。温熱回収水ｗ３は燃料電池３０で発生した熱を貯湯槽８１に導く水（熱媒体）であり、温熱回収管８６は水保有手段の一部材である。温熱回収管８６は貯湯槽８１の上部及び下部に接続されており、これによって温熱回収水ｗ３を温熱回収熱交換器３６と貯湯槽８１との間で温熱回収水ｗ３を循環させる循環流路が形成されている。温熱回収管８６には、貯湯槽８１内の温熱回収水ｗ３を温熱回収熱交換器３６に圧送する温熱回収ポンプ６６が配設されている。なお、温熱回収熱交換器３６を設けずに冷却水ｗ２（温熱回収水ｗ３）を冷却部３３と貯湯槽８１との間で直接循環させることも可能であるが、温熱回収熱交換器３６を設けて冷却水ｗ２と温熱回収水ｗ３との縁を切るようにすると双方の水質管理が容易となり好適である。
【００３３】
貯湯槽８１は、温熱回収水ｗ３を媒体として、燃料電池３０で発生した熱を蓄えるタンクである。貯湯槽８１は、水保有手段の一部材である。貯湯槽８１は、温熱回収水ｗ３の導入口を上部（好ましくは頂部）に、温熱回収水ｗ３の導出口を下部（好ましくは底部）に設け、温度の高い温熱回収水ｗ３を上部から導入し、温度の低い温熱回収水ｗ３を下部から導出するようにして温度成層が形成されるようにするのが好ましい。貯湯槽８１には内部の水位（十分な保有水量があるか否か）を検出する水位検出器（不図示）が設けられている。貯湯槽８１には、蓄えた熱を利用する給湯や暖房等の熱需要へその熱の媒体となる温水を搬送する温水管（不図示）が接続されている。また、貯湯槽８１には、外部から市水等の源水を導入する水導入管４１が接続されている。水導入管４１には貯湯槽導入水開閉弁７１が配設されている。貯湯槽導入水開閉弁７１は制御装置９１と信号ケーブルで接続されており、制御装置９１からの開閉信号を受信して弁の開閉が行われるように構成されている。
【００３４】
制御装置９１は、燃料電池システム１０の運転を制御する装置である。制御装置９１は、改質器２０内の電気ヒータ２８への送電を調整して、そのオン・オフを制御することができるように構成されている。また、制御装置９１は、改質部２５の温度検出器２６と、及び水タンク８２の水位検出器９５とそれぞれ信号ケーブル（不図示）で接続されており、改質部２５の温度及び水タンク８２の水位を信号として受信することができるように構成されている。また、制御装置９１は、各開閉弁７１〜７４とそれぞれ信号ケーブル（不図示）で接続されており、開閉信号を送信して弁の開閉動作をさせることができるように構成されている。また、制御装置９１は、各ポンプ６３〜６６、及びブロワ６８への送電を調整して、それらの発停を制御することができるように構成されている。また、制御装置９１は、原料燃料ｍ１、燃焼用燃料ｍ２、燃焼空気ａの流量を、弁等の流量調整手段（不図示）により、調整することができるように構成されている。
【００３５】
制御装置９１には、指令入力手段９２が接続されている。指令入力手段９２は、燃料電池システム１０を設置後最初に起動する際に、各種水ｗ１〜ｗ４を必要とする場所への水張り完了後に直ちに燃料電池３０の発電試験を行うか、あるいは水張りのみ行い発電試験は後日行うかの選択を受け付けるボタンが設けられており、選択された指令を制御装置９１に与えることができるように構成されている。選択を受け付けるボタンは、タッチパネルや機械的構造を有するボタンで構成されている。なお、指令入力手段９２は、ハード的には制御装置９１と一体に構成されていてもよい。
【００３６】
また、制御装置９１は時計機能を有しており、現在の時刻と水張り及び発電試験の作業を止めたい任意の時刻（例えば１８時半）とを参照して、指令入力手段９２から水張り完了後に直ちに燃料電池３０の発電試験を行う選択が入力されたときに、現在の時刻から見て作業を止めたい任意の時刻前に発電試験まで行うことができないと判断した場合は、「水張り完了後に直ちに燃料電池３０の発電試験を行う」ことを選択することができないように、あるいは「設定時間内（作業を止めたい任意の時刻まで）に発電試験に至らない」旨の警報を発するように構成してもよい。このとき、水張り及び発電試験の作業を行い得る時刻（例えば９時〜１８時半）が初動可能時刻として予め制御装置９１に設定されている。また、水張り開始から発電試験に至るまでの所要時間が予め制御装置９１に記憶されている。
【００３７】
上述のような構成を有する燃料電池システム１０を使用場所に据え付け、稼働させる前には、貯湯槽８１、水タンク８２、各種水ｗ１〜ｗ４を流す配管８３〜８６に水張りを行った上で試験運転（発電試験）を行う。発電試験は、現場の事情により、燃料電池システム１０の据え付け後直ちに行われる場合と、後日改めて行われる場合とがある。燃料電池３０で発電をするには改質ガスｇを供給する必要があり、改質ガスｇを生成するには改質器２０を改質に適した温度（約６００〜７００℃）に昇温する必要があるが、改質器２０を常温（周囲環境温度）から改質に適した温度に昇温するまでには相当の時間（約１時間程度）を必要とする。そこで、燃料電池システム１０では、据え付け後の初期起動時に、以下に説明するような制御を行う。
【００３８】
図２を参照して、以下に燃料電池システム１０への水張り工程を説明する。なお、以下の説明における各部材への言及については適宜図１を参照することとする。燃料電池システム１０の据え付け後、最初に起動する際には、現場の状況やその他の事情により、水張り後直ちに発電試験を行うか、水張りのみを行い発電試験は改めて行うかの運転方式の決定を行い、選択した運転方式を指令入力手段９２に入力する（Ｓ１１）。指令入力手段９２への運転方式の入力は、典型的には人間が行う。入力を受け付けた指令入力手段９２は制御装置９１に選択結果を送信し、結果を受信した制御装置９１は水張り後連続して（直ちに）発電試験を行うか否かの判断をする（Ｓ１２）。
【００３９】
以下にまず、水張り後連続して発電試験を行う場合のフローを説明する。水張り後連続して発電を行う旨の信号が制御装置９１に送られると、制御装置９１は予め設定された初動可能時刻内に発電試験を行うことができるか否かを判断する（Ｓ１３）。制御装置９１は、初動可能時刻内に発電試験を行うことができないと判断した場合は、水張り後連続して発電を行うことができない旨の信号や燃料電池３０の作動が初動可能時刻外となる旨の警報を発報する信号等の再考促進信号を指令入力手段９２へ送信して注意を喚起する（Ｓ１４）。そして、運転方式の再入力が行われる（Ｓ１１）。
【００４０】
初動可能時刻内に発電試験を行うことができるか否かを判断する工程（Ｓ１３）において、初動可能時刻内に発電試験を行うことができると判断した場合、制御装置９１は、貯湯槽導入水開閉弁７１及び水タンク導入水開閉弁７２を開にして貯湯槽８１及び水タンク８２から燃料電池システム１０に水張りを開始すると共に、改質器２０の電気ヒータ２８をオンにする（Ｓ２１）。水張り開始後所定時間が経過したら、制御装置９１は水張りが不調か否かを判断する（Ｓ２２）。この判断においては、典型的には貯湯槽８１の水位検出器（不図示）や水タンク８２の水位検出器９５が所定時間経過後も水位を検出しない場合に不調と判断する。所定時間は、典型的には、水張りの不調がない場合に水張り開始から水位検出器が水位を検出するまでの時間であり、これに余裕時間を加えた時間を所定時間としてもよい。水張りが不調の場合は貯湯槽導入水開閉弁７１及び水タンク導入水開閉弁７２を閉じると共に電気ヒータ２８をオフにして水張りを中止し（Ｓ５８）、警報を発報して（Ｓ５９）燃料電池システム１０に異常があることを知らせる。水張りが不調でなければ水張りを続ける。
【００４１】
水張りは各配管８３〜８６にも行われる。すなわち、貯湯槽８１に温熱回収水ｗ３が溜まったら温熱回収ポンプ６６を起動して温熱回収管８６に水を張り、水タンク８２の水位が所定の水位になったら改質水ポンプ６３を起動して改質水管８３に水を張り並びに排熱回収ポンプ６４を起動して排熱回収加湿管８４及び冷却水管８５に水を張る。このとき、改質水開閉弁７３及び加湿水開閉弁７４は閉となっており、したがって改質水ｗ１は改質水開閉弁７３までの改質水管８３に、排熱回収加湿水ｗ４は加湿水開閉弁７４までの排熱回収加湿管８４に張られることとなる。なお、水タンク８２が所定の水位に満たない場合は、改質水ポンプ６３及び排熱回収ポンプ６４が起動しないようにインターロックされる。また、各配管８３〜８６に水張りを開始した後に水張りが不調か否かを判断（Ｓ２２）してもよい。この場合は、例えば改質水ポンプ６３や排熱回収ポンプ６４の作動状態を検出してポンプの故障等があったときに水張りを中止する（Ｓ５８）ようにしてもよい。例えば、改質水管８３内の圧力が所定の圧力に到達しない場合に改質水ポンプ６３が故障していると推定し、排熱回収加湿管８４内の圧力が所定の圧力に到達しない場合に排熱回収ポンプ６４が故障していると推定してもよい。
【００４２】
水張りが不調でなく水張りを続けたときに、制御装置９１は、水張りが完了したか否かを判断する（Ｓ２３）。水張りが完了したか否かの判断は、水タンク８２内の水位検出器９５、貯湯槽８１内の水位検出器（不図示）、改質水ポンプ６３及び排熱回収ポンプ６４の作動状態によって行う。例えば、改質水ポンプ６３は改質水管８３内の圧力が所定の圧力に到達したら、及び排熱回収ポンプ６４は排熱回収加湿管８４内の圧力が所定の圧力に到達したら停止する。水張りが完了していない場合は水張りを継続し、水張りが完了するまで水張りが完了したか否かの判断（Ｓ２３）を随時行う。水張りが完了した場合は、一旦電気ヒータ２８をオフにする（Ｓ２４）。
【００４３】
電気ヒータ２８をオフにしたら、制御装置９１は、水張り完了後連続して発電試験を行うか否かを確認する（Ｓ２５）。水張りが完了するまでの間に、水張りのみを行い発電試験は改めて行うように変更する旨の指令を指令入力手段９２を介して制御装置９１が受信した場合は発電試験を行わないこととし、燃料電池システム１０への水張り工程を終了する。このようにすると、水張りの状況に拘わらず発電試験を行わないように変更する旨の指令を入力しておくことで、水張りを中断することなく完了させることができ、改めて発電試験を行いたいときに速やかに発電試験の工程に移行することができる。なお、発電試験を行わないように変更する旨の指令が入力された際に電気ヒータ２８をオフにすることとしてもよい。このようにすると、無駄な電力（エネルギー）を消費しなくて済む。
【００４４】
水張り完了後連続して発電試験を行うか否かを確認する工程（Ｓ２５）において、予定通り発電試験を行う場合は、改質器２０の燃焼部２３に燃焼用燃料ｍ２を供給する（Ｓ２６）。その後電気ヒータ２８をオンにする（Ｓ２７）。電気ヒータ２８をオンにしたらバーナー２２を点火する（Ｓ２８）。このとき、燃焼部２３に燃焼空気ａが導入される。バーナー２２を点火したら、温度検出器２６により検出した温度から、改質器２０が所定の温度以上か否かを判断する（Ｓ２９）。所定の温度は、改質器２０での改質に適した温度（約６００〜７００℃）である。改質器２０が所定の温度以上でなければ、所定の温度以上となるまで改質器２０が所定の温度以上か否かを判断する工程（Ｓ２９）を随時行う。改質器２０が所定の温度以上であれば、改質部２５に、原料燃料ｍ１を供給すると共に改質水開閉弁７３を開にして改質水ｗ１を供給し、改質動作を開始する（Ｓ３０）。改質動作により改質ガスｇが生成されたらこれを燃料電池３０の燃料極３１に供給し、空気極３２には加湿器３８で加湿及び加熱された酸化剤ガスｔを供給して、発電を試みる（Ｓ３１）。
【００４５】
以上のように、水張り後連続して発電試験を行うことを選択した場合は、制御装置９１が水張りの開始とほぼ同時に改質器２０の予熱を開始（電気ヒータ２８をオン）するので、水張り完了（Ｓ２４）から改質動作開始（Ｓ３０）までの時間を短縮することができる。
【００４６】
次に、水張り後連続して発電試験を行わない場合のフローを説明する。水張り後連続して発電試験を行うか否かの判断をする工程（Ｓ１２）において、連続して発電試験を行わない場合、連続して発電を行わない旨の信号が制御装置９１に送られると、制御装置９１は予め設定された初動可能時刻内に発電試験を行うことができるか否かを判断する（Ｓ１５）。制御装置９１は、初動可能時刻内に発電試験を行うことができると判断した場合は、初動可能時刻内で水張り後連続して発電試験を行うことができる旨の信号を指令入力手段９２へ送信し、運転方式の入力者に対して運転方式の変更を受け付ける（Ｓ１６）。ここで運転方式の変更があった場合、制御装置９１は、貯湯槽導入水開閉弁７１及び水タンク導入水開閉弁７２を開にして貯湯槽８１及び水タンク８２から燃料電池システム１０に水張りを開始すると共に、改質器２０の電気ヒータ２８をオンにする工程（Ｓ２１）に進む。以降は、上述の水張り後連続して発電試験を行う場合のフローに示した制御（Ｓ２２〜Ｓ３１等）を行う。
【００４７】
初動可能時刻内に発電試験を行うことができるか否かを判断する工程（Ｓ１５）において行うことができないと判断した場合、又は運転方式の変更を受け付ける工程（Ｓ１６）において運転方式の変更がない場合、制御装置９１は、貯湯槽導入水開閉弁７１及び水タンク導入水開閉弁７２を開にして貯湯槽８１及び水タンク８２から燃料電池システム１０に水張りを開始する（Ｓ４１）。このとき、制御装置９１は、改質器２０の電気ヒータ２８をオンにせず、オフのままとする。水張り開始後所定時間が経過したら、上記の連続して発電試験を行う場合と同様の要領で、制御装置９１は水張りが不調か否かを判断する（Ｓ４２）。水張りが不調の場合は貯湯槽導入水開閉弁７１及び水タンク導入水開閉弁７２を閉じて水張りを中止し（Ｓ５８）、警報を発報して（Ｓ５９）燃料電池システム１０に異常があることを知らせる。水張りが不調でなければ水張りを続ける。水張りは、上記の連続して発電試験を行う場合と同様の要領で、各配管８３〜８６にも行われる。同様に、各配管８３〜８６に水張りを開始した後に水張りが不調か否かを判断（Ｓ４２）してもよく、この場合は、例えば改質水ポンプ６３や排熱回収ポンプ６４の作動状態を検出してポンプの故障等があったときに水張りを中止する（Ｓ５８）ようにしてもよい。
【００４８】
水張りが不調でなく水張りを続けたときに、制御装置９１は、上記の連続して発電試験を行う場合と同様の要領で、水張りが完了したか否かを判断する（Ｓ４３）。水張りが完了していない場合は水張りを継続し、水張りが完了するまで水張りが完了したか否かの判断（Ｓ４３）を随時行う。水張りが完了した場合は、制御装置９１は、水張り完了後連続して発電試験を行わないか否かを確認する（Ｓ４４）。予定通り発電試験を行わない場合は燃料電池システム１０への水張り工程が終了となる。他方、水張り完了後連続して発電試験を行わないか否かを確認する工程（Ｓ４４）において、水張りが完了するまでの間に、水張り完了後連続して発電試験を行うように変更する旨の指令を指令入力手段９２を介して制御装置９１が受信した場合は、制御装置９１は発電試験の完了予定時刻が初動可能時刻内か否かを判断する（Ｓ６９）。発電試験の完了予定時刻が初動可能時刻内でない場合は、燃料電池システム１０への水張り工程が終了となる。他方、発電試験の完了予定時刻が初動可能時刻内である場合、制御装置９１は、改質器２０の燃焼部２３に燃焼用燃料ｍ２を供給し（Ｓ２６）、以降発電試験の準備工程（Ｓ２７〜Ｓ３０）を経て、発電を試みる（Ｓ３１）。このようにすると、水張りの状況に拘わらず発電試験を行うように変更する旨の指令を入力しておくことで、水張り完了後に速やかに発電試験の工程に移行することができる。なお、発電試験を行うように変更する旨の指令が入力された際に電気ヒータ２８をオンにすることとしてもよい。このようにすると、水張り完了（Ｓ２４）から改質動作開始（Ｓ３０）までの時間を短縮することができる。
【００４９】
以上のように、水張り後連続して発電試験を行わないことを選択した場合は、制御装置９１が水張りの制御のみを行い改質器２０の予熱を行わないので、無駄な電力を消費しなくて済む。なお、水張り後連続して発電試験を行わない場合で改めて発電試験を行う場合は、すでに燃料電池システム１０の必要な部分には水張りが行われているので、上記の連続して発電試験を行う場合のフローにおける、改質器２０の燃焼部２３に燃焼用燃料ｍ２を供給する工程（Ｓ２６）から開始されることとなる。このとき、燃焼部２３に燃焼用燃料ｍ２を供給してから改質動作が開始するまでには相当の時間（約１時間程度）を必要とすることとなる。
【００５０】
水張り完了後、燃料電池システム１０の運転（試験運転及び通常運転）は、できるだけ使用する水を燃料電池システム１０内で循環させる水自立運転を行うことが好ましい。上述の（２）式からも分かるように燃料電池３０の発電に伴って水が発生し、改質器２０から排出される排ガスＧｅにも水が含まれる。これらの水を気液分離器（不図示）等を用いて分離して水タンク８２に戻すとよい。貯湯槽８１から給湯等の熱需要に向けて送水されて消費された分や、キャリーオーバーによって失われた分の水は、水導入管４１、４２を介して外部から補充される。また、燃料電池システム１０を循環する水自立運転を行うと、循環流路内にイオン交換樹脂等を設けることにより各種水ｗ１、ｗ２、ｗ４を純水にすることができる。
【００５１】
以上の説明では、予熱手段が電気ヒータ２８であるとしたが、バーナー２２による燃焼用燃料ｍ２の燃焼により得た熱で改質器２０を予熱してもよい。この場合、バーナー２２及び燃焼空気供給管２１が予熱手段の構成要素となり、電気ヒータ２８を省略することができる。電気ヒータ２８を省略すると装置を簡略化することができる。
【００５２】
以上の説明では、排熱回収加湿管８４に排ガス熱交換器３９を設けることとしたが、排ガス熱交換器３９を設けずに、排ガスＧｅをそのままの温度で系外に排出し、酸化剤ガスｔの加湿を常温の水で行ってもよい。また、燃料電池システム１０が貯湯槽８１を備えることとしたが、燃料電池３０で発生した熱の用途がない場合は、貯湯槽８１を設けなくてもよい。これらの場合、システム構成を簡略化することができる。
【００５３】
以上の説明では、燃料電池３０は固体高分子型燃料電池として説明したが、固体高分子型燃料電池の他、りん酸型燃料電池、固体酸化物形燃料電池等、他の種類の燃料電池も用いることができる。しかしながら、固体高分子型燃料電池とすると、比較的低温で運転でき、また装置が小型化できるので、家庭用、小規模集合住宅あるいは小規模事業所用に用いるのに好適である。
【００５４】
以上の説明では、水張りを行っている間に改質器２０の予熱をする制御としない制御との選択を、水張り後連続して発電試験を行うか否かを指令入力手段９２を介して選択するという形で人間が行うこととして説明した。しかしながら、予め設定された初動可能時刻内に発電試験を行うことができる場合は水張りを行っている間に改質器２０の予熱をする制御を行い、初動可能時刻内に発電試験を行うことができない場合は水張りを行っている間に改質器２０の予熱をしない制御を行うように、制御装置９１が自動で選択するようにしてもよい。この場合は、図２のフローチャートにおける工程Ｓ１１、Ｓ１３、Ｓ１４、Ｓ１５、Ｓ１６を省略することができる。なお、予め設定された初動可能時刻内に発電試験を行うことができるか否かの判断（Ｓ１３、Ｓ１５）においては、制御装置９１は、水タンク８２に導入される源水の温度や燃料電池システム１０が設置される周囲の気温を考慮するようにするとよい。すなわち、予め制御装置９１に記憶されている水張り開始から発電試験に至るまでの所要時間（段落００３６参照）を源水の温度や気温に応じて補正するようにするとよい。改質器２０が改質ガスｇを生成するのに適した温度（例えば６００〜７００℃程度）に昇温し、燃料電池３０が発電を行うのに適した温度（例えば６０〜１００℃程度）に昇温する際に、水温や気温の影響を受け得るからである。制御装置９１が水温や気温を考慮する場合は、典型的には、水導入管４２あるいは水タンク８２に水温検出器（不図示）を設け、燃料電池システム１０の周囲環境温度を検出できる場所に温度検出器（不図示）を設ける。
【００５５】
以上の説明では、制御装置９１に初動可能時刻が予め設定されており、初動可能時刻内に発電試験を行うことができない場合は水張り後連続して発電試験を行う制御を選択することができないこととして説明したが、初動可能時刻を事後的に任意に設定可能に構成してもよく、制御装置９１に初動可能時刻が予め設定されていない構成として指令入力手段９２からの入力の通りの制御を行うこととしてもよい。このようにすると、発電試験を行うことについて、燃料電池システム１０の設置者の都合に応じて柔軟に対応することが可能となる。
【００５６】
以上の説明では、図２で説明する制御で、水張り後連続して発電試験を行う制御において水張り完了後にヒータ２８をオフにする工程（Ｓ２４）の後、及び水張り後連続して発電試験を行わない制御において水張り完了後（工程Ｓ４３でＹｅｓ）に発電試験を実施するか否かを確認しているが（Ｓ２５、Ｓ４４）、この確認は省略してもよい。
【図面の簡単な説明】
【００５７】
【図１】本発明の実施の形態に係る燃料電池システムの系統図である。
【図２】本発明の実施の形態に係る燃料電池システムへの水張り工程を説明するフローチャートである。
【符号の説明】
【００５８】
１０  燃料電池システム
２０  改質器
２１  燃焼空気供給管
２２  バーナー
２８  電気ヒータ
３０  燃料電池
８１  貯湯槽
８３  改質水流路
８４  排熱回収加湿管
８５  冷却水管
８６  温熱回収管
９１  制御装置
９２  指令入力手段
ａ  燃焼空気
ｇ  改質ガス
ｔ  酸化剤ガス
ｍ１  原料燃料
ｍ２  燃焼用燃料
ｗ１  改質水
ｗ２  冷却水
ｗ３  温熱回収水
ｗ４  排熱回収加湿水
【図１】
2007335332.tif 000003
【図２】
2007335332.tif 000004